(57)【要約】【課題】  水底より浮子が水面に向かって上昇するその浮力をエネルギーとして取り出す。【解決手段】  浮子下部に圧縮空気や水がノズルより吹き当てられその浮子自体の浮力と吹き当てられた空気や水  流により、浮子シリンダーと浮子ピストン６が動いてシリンダー筒に外部より空気が吸引されて浮子全体の体積が増して浮力が大きくなる。その浮子が数珠繋ぎとなって水面に向かって上昇する、水面上空間に於いて浮子の中の空気吸排エアーボール弁とピストンエアーボール弁９が開いてシリンダー筒内に空気が吸引供給される。数珠繋ぎの浮子が伝導歯車を回転し伝導ワイヤーを介し、発電機及びコンプレッサーを動かす。【選択図】図１
2008202458.tif 000002
【特許請求の範囲】
【請求項１】
図１、図２、図３（イ）のように、水中で浮子下方の空気及び水の射出管より、空気又は水が図６（Ｃ、Ｄ、Ｅ、Ｆ、Ｇ）で表す、外箱浮子浮子シリンダー及びギア穴に吹き当て又、別上の外箱浮子の下側凹部に空気が溜まり浮子が浮力を増して外箱浮子と浮子シリンダーが浮きあがる。図６（Ｄ、Ｅ、Ｇ）シリンダー筒と浮子ピストン６の間に空気が入ると同時に浮子本体１の空気袋５が水圧により潰され中の空気がチューブ袋弁７を膨らませシリンダー壁とピストンが密閉状態となる、本体空気管３よりピストン空気ホース８を介しピストンエアーボール弁９を開きシリンダー筒の中に空気が吸い込まれ図３（ロ）浮子全体の体積を増し、浮力を増大させて、浮子が水面に向かって上昇する。図４（ニ）水面より昇った浮子は遠心力により空気吸排エアーボール弁が開いて、水面上の空中より空気を吸い込み前記の空気吸排エアーボール弁、シリンダー筒、ピストン空気管８より、本体空気管へと空気を送り込む。繋がれた浮子は、大きく回り込みながらカプセルトンネル箱（図１）の中に入り込み下降する、同時に浮子本体の空気袋は通常の大きさに膨らみピストンチューブ袋弁は縮んでシリンダー壁とピストンとの隙間ができ、ピストンの出入り動きが容易になる、外側に膨らんだ浮子シリンダーと外箱浮子は図５（ト）のようにガードレールを介して浮子本体に押し返される。本発明の動力を取り出す伝導歯車は、浮子シリンダーギア穴を介して回転し伝導ワイヤーを回し発電機又はコンプレッサーに動力を伝える。繋がれた浮子は図１、図２のノズルを通り水中へと入り込み当書の最初に戻り円運動は繰り返されることを特徴とする動力機関。
【発明の詳細な説明】
【技術分野】
【０００１】
浮力での動力と発電及び圧縮空気製造と備蓄に関する。
【背景技術】
【０００２】
水中において上下長円形に回転するベルトの帯に、伏せたお椀型受け皿に、下方より空気を受けて上昇回転する装置。
【特許文献１】特願２００４−２７８４５２
【発明の開示】
【発明が解決しようとする課題】
【０００３】
浮子内部に子の浮子があり、それが浮き上がり、その上昇した空間に外部より空気を取り込み、浮子本体の体積を膨らませて浮力を増大する発明ですが、上下左右ガードレールの不都合があります。
【０００４】
蒸気タービンを用いて発電する、原子力、火力の発電システムは消費に応じて、急にタービンを回したり止めたりできない。また、電気を備蓄することは不可能である。
【０００５】
太陽光発電は夜間や太陽の光が弱ければ発電できません。また、風力発電は風が吹かなければ動かない、水力発電は高所よりの水やダムの水は有限で渇水時は使用不能である。
【課題を解決するための手段】
【０００６】
本発明は、初動エネルギーとして自然エネルギーを使用する、それにより酸性雨や光工学スモッグ、地球温暖化を防止し京都議定書順守にも貢献するクリーンエネルギーである。
【０００７】
本発明は浮力エネルギー源である圧縮空気を製造して備蓄をしたり、発電をしたりする発明、つまりエネルギーを製造し、備蓄ができる発明である。
【０００８】
本発明の機械を動かす初動エネルギーとして現電力会社の余剰電力を利用することも考えられるが、本発明では他動力の風力、波力、水力の自然エネルギーを利用する。それらは直接コンプレッサーを介して圧縮空気を製造しても良いが当説明では、ダムや池、湖に注ぐ川の水や地下水蒸気、風力、波力による圧縮空気を使用しての説明をする。
【０００９】
風力で得た圧縮空気や高所より注ぐ水が（図１、図２、図３（イ））空気及び水の射出管より、水中の数珠繋ぎの浮子下部辺りに射出、吹き当てることにより、浮子自体の浮力と吹き当てられた水流や空気により、浮力が増強され浮子が水面に向かって浮上することができる。
【００１０】
図３、図４、図５、図６浮子ピストン６は、浮子本体１と繋がる同浮子上下を繋ぐ本体蝶番２と（Ａ、Ｂ、Ｄ、Ｅ、Ｇ）ピストンチューブ袋弁７に空気を送る空気袋５と後記シリンダー筒に空気を送るピストン空気管８と水の逆止弁たるピストンエアーボール弁９で構成される。
【００１１】
前記浮子本体と蝶番で繋がる浮子シリンダーは外面に本発明の動力をコンプレッサーや発電機に伝える伝導歯車用のシリンダーギア穴設け、その穴に逆止弁たる空気吸排エアーボール弁を設けシリンダー筒に空気を送る装置。さらにその浮子シリンダーを外箱浮子で囲む。
【００１２】
図１、図２のノズルの中のそれより水中に出た浮子が図３（イ）浮子シリンダーと外箱浮子に空気及び水の射出管より吹き当てられた水圧により、ギア穴の空気となり上の外箱浮子との間に抜けた空気は、上の外箱浮子底辺に空気が溜まりそれら浮子の浮力を増す。
【００１３】
図６（Ｂ）浮子本体の空気袋５が水圧により押し潰されて、その空気がチューブ袋弁７前記（００１０）を膨らませシリンダーとピストンの隙間が挟まり密閉状態となる。
【００１４】
ギア穴への水圧で空気吸排エアーボール弁図６（Ｄ、Ｅ、Ｇ）が閉じて浮子シリンダーと外箱浮子が浮力で浮き上がり、前記（００１０）浮子本体の蛇腹又は高圧空気ホース４より本体空気管３を介してピストンエアーボール弁９を開け空気がシリンダー筒に吸い込まれて浮子全体の体積が増し浮力が増す。
【００１５】
浮子シリンダーと外箱浮子が図３（ロ、ハ）浮上してシリンダー筒内に空気が入り、浮子シリンダー及び外箱浮子の底辺と浮子本体の間隔が開きその窪みに空気が溜まり浮力が増大して浮子は水面に向かって上昇浮上する。
【００１６】
水面より上に出た浮子は図４（ニ）遠心力により空気吸排エアーボールとピストンエアーボール弁が開いて前記（００１４）のシリンダー筒に空気を送りながら大きく円回転し前記（００１３）の空気袋は膨らみ、ピストンチューブ袋弁は元の大きさに縮んでシリンダーとピストンの間に隙間ができて、ピストンがシリンダーへの出入りが容易となる。
【００１７】
繋がれた浮子は外箱浮子を外側に膨らませながら図１のカプセルトンネル箱の中を下降しながら図４（ヘ）、図５（ト）膨らんだ外箱浮子を押し上げレールで浮子本体に押し上げる。
【００１８】
図１、図２、図５（ア）繋がれた浮子が伝導歯車を回転して図１、図２伝導ワイヤーを介して、発電機又はエアーコンプレッサーに動力を伝え、発電したり圧縮空気を製造したりする。
【００１９】
繋がれた浮力はノズルを通り、前記（００１２）に繋がり、この回転運動が繰り返される。
【発明の効果】
【００２０】
初動エネルギーとして風力、地下水蒸気、波力又は高所よりの落下水流を利用しても、水そのものは消費しない。
【００２１】
水と空気が攪拌されることにより、水中に空気が混ざり、水中微生物、プランクトンやバクテリアが繁殖して水質が浄化し、水と磯辺の環境が改善されて魚、貝、海草類の豊作へとつながる。
【００２２】
上述したように、本発明の浮力による圧縮空気の製造備蓄と発電は、自然エネルギーを利用しての圧縮空気を製造して備蓄するのと電気の消費必要量に応じて発電できるシステムであり、水と空気は地球上の永久資産であり、自然エネルギーは無公害で安価な原材料である。
【発明を実施するための最良の形態】
【００２３】
本発明は構造上高速回転はできず、変速ギアにて回転数を上げてコンプレッサーや発電機を動かす。
【００２４】
図７の水中で気球状のドームを使用するか、地中に空洞を造り水を取り入れて圧縮空気を蓄えて、電力消費に応じて備蓄された空気を放出し、本発明システムを動かして発電をする。
【図面の簡単な説明】
【００２５】
【図１】カプセルトンネル仕様での図
【図２】池、ダム、水タンクでの堰や外枠でのシステム図
【図３】（イ）浮子が浮上はじめの断面図（ロ）浮子が浮上の断面図（ハ）上昇中の浮子断面図
【図４】（ニ）水面を回転する浮子断面図（ホ）水面上を回転する浮子断面図（ヘ）押し上げレールと下降中の浮子断面図
【図５】（ト）押し上げレールと浮子断面図（ア）伝導歯車を浮子断面図
【図６】浮子全体と浮子部分図  （Ａ）浮子本体と浮子ピストンの外見図  （Ｂ）浮子本体の空気袋と浮子ピストンのチューブ袋弁断面図  （Ｃ）浮子シリンダーの外見図  （Ｄ）浮子シリンダーの断面図  （Ｅ）浮子シリンダーと浮子ピストンと浮子本体断面図  （Ｆ）浮子シリンダーと外箱浮子の外見図  （Ｃ）浮子全体の断面図
【図７】本発明利用の図
【符号の説明】
【００２６】
１．浮子本体
２．本体蝶番
３．本体空気管
４．蛇腹又は高圧空気ホース
５．空気袋
６．浮子ピストン
７．チューブ袋弁
８．ピストン空気管
９．ピストンエアーボール弁
１０．浮子シリンダー
１１．ギア穴
１２．空気吸排エアーボール弁
１３．シリンダー筒
１４．シリンダー蝶番
１５．外箱浮子
１６．ノズル
１７．空気及び水の射出管
１８．滑車
１９．カプセルトンネル
２０．押し上げレール
２１．漏れ水排水
２２．伝導歯車
２３．伝導ワイヤー
２４．発電機及びコンプレッサー
【図１】
2008202458.tif 000003
【図２】
2008202458.tif 000004
【図３】
2008202458.tif 000005
【図４】
2008202458.tif 000006
【図５】
2008202458.tif 000007
【図６】
2008202458.tif 000008
【図７】
2008202458.tif 000009